(57)【要約】【課題】  東洋医学の診断法を定量化、客観化し、未病を含めた健康度を総合的、かつ簡便に測定することができるようにする。【解決手段】  健康度判定装置１は、被検者の舌部を撮像して画像を取得するデジタルカメラ２と、所定の健康度判定処理を行う処理装置３とから構成される。処理装置３に備えられている制御処理部３５は、前記画像から所定の特徴量を反映する画像データを抽出すると共に前記画像を複数の領域に分割し、この分割された各画像領域から前記画像データに基づく計測値をそれぞれ導出する画像処理部と、画像処理部で導出された各画像領域の計測値を統合して得られた照合評価値と、記憶部３６に格納されている基準評価値とを照合して、被検体の健康度に関する判定情報を出力する演算部と具備する。【選択図】      図２
2006149679.tif 000002
【特許請求の範囲】
【請求項１】
被検体となる生体の所定部位を撮像して取得された画像を複数の領域に分割し、
この分割された各画像領域の画像データからそれぞれ得られる所定の特徴量の計測値を統合して照合評価値を作成し、
同様な計測方法により予め求められた健常体の計測値を統合して得た基準評価値と、前記照合評価値とを照合することにより、前記被検体の健康度を判定することを特徴とする健康度判定方法。
【請求項２】
撮像される生体の所定部位が、人体の舌部位であることを特徴とする請求項１記載の健康度判定方法。
【請求項３】
前記特徴量の計測値として、分割された各画像領域の平均輝度値又は／及び平均色度値を用いることを特徴とする請求項１又は２記載の健康度判定方法。
【請求項４】
前記照合評価値と基準評価値との照合は、マハラノビス距離の算出により行われ、
前記健康度の判定は、前記算出されたマハラノビス距離が所定の閾値を超過しているか否かに基づいて行われることを特徴とする請求項１〜３のいずれかに記載の健康度判定方法。
【請求項５】
マハラノビス距離が所定の閾値を超過している場合において、
当該算出されたマハラノビス距離の値に寄与している領域を抽出することで、疾患部を特定することを特徴とする請求項４記載の健康度判定方法。
【請求項６】
被検体となる生体の所定部位を撮像して画像を取得する撮像手段と、
前記画像から所定の特徴量を反映する画像データを抽出すると共に前記画像を複数の領域に分割し、この分割された各画像領域から前記画像データに基づく計測値をそれぞれ導出する画像処理部と、
同様な計測方法により予め求められた健常体の計測値を統合して得た基準評価値が格納される記憶部と、
前記画像処理部で導出された各画像領域の計測値を統合して得られた照合評価値と、前記記憶部に格納されている基準評価値とを照合して、被検体の健康度に関する判定情報を出力する演算部とを具備することを特徴とする健康度判定装置。
【請求項７】
前記撮像手段が、フラッシュ光源付きのデジタルカメラであることを特徴とする請求項６記載の健康度判定装置。
【請求項８】
前記演算部は、前記記憶部から読み出した基準評価値と、前記照合評価値とを用いてマハラノビス距離を算出するマハラノビス距離算出部と、
前記算出されたマハラノビス距離が所定の閾値を超過しているか否かを判定する判定処理部とを具備することを特徴とする請求項６記載の健康度判定装置。
【請求項９】
マハラノビス距離算出部にて算出されたマハラノビス距離に基づいて、疾患部位の特定情報を出力する疾患部位特定部を備え、
疾患部位特定部は、
前記分割された画像領域の中から、前記マハラノビス距離の値に寄与している領域を抽出する寄与領域抽出部と、
前記分割された画像領域と疾患とを関連付けた各種の疾患情報が格納された疾患情報記憶部と、
前記寄与領域抽出部による抽出領域情報と、疾患情報記憶部に格納されている疾患情報とを照合することにより、疾患部位に関する特定情報を出力する照合部とを備えて構成されていることを特徴とする請求項８記載の健康度判定装置。
【請求項１０】
所定の画像処理部、記憶部及び演算部を備える健康度判定装置を動作させるためのプログラムであって、
所定の撮像手段により撮像された、被検体となる生体の所定部位に関する画像を取得させるステップと、
前記画像処理部に、前記画像から所定の特徴量を反映する画像データを抽出すると共に前記画像を複数の領域に分割し、この分割された各画像領域から前記画像データに基づく計測値を導出させるステップと、
前記記憶部から、同様な計測方法により予め求められた健常体の計測値を統合して得た基準評価値を読み出すステップと、
前記演算部に、前記画像処理部で導出された各画像領域の計測値を統合した照合評価値と、前記記憶部から読み出された基準評価値とを照合して、被検体の健康度に関する判定処理をなわせるステップと
を実行させることを特徴とする健康度判定装置の動作プログラム。
【請求項１１】
前記演算部に被検体の健康度に関する判定処理を行なわせるステップとして、
前記画像処理部で導出された各画像領域の計測値を統合した照合評価値と、前記記憶部から読み出された基準評価値とを用いてマハラノビス距離を算出させるステップと、
前記算出されたマハラノビス距離が所定の閾値を超過しているか否かを判定するステップとを実行させることを特徴とする請求項１０記載の健康度判定装置の動作プログラム。
【発明の詳細な説明】
【技術分野】
【０００１】
本発明は、被検体となる生体の所定部位を測定対象として画像を撮影し、該画像から取得される所定の特徴量に基づいて、被検体の健康度を判定する方法、装置、及びプログラムに関するものである。
【背景技術】
【０００２】
人体の健康度を求める手法は数多存在する。例えば、体温、血圧、脈拍など家庭で簡単に計測できる測定値に基づくもの、定期健診や人間ドック等で実施される血液検査、検尿、心電図或いはＸ線撮影等の検診結果に基づくもの、さらには高度医療機関で実施されるＣＴスキャンやＭＲＩ等の検診結果に基づくもの等がある。しかし、これらの計測や検診は、人体の状態の一面を評価したり、特定の疾病の有無に関する検査を行ったりするものであって、人体の健康度を総合的に測定（評価）するものとは言えない。
【０００３】
一方、古来の東洋医学には、未病（みびょう）という概念がある。すなわち、健康状態から病気状態へ至る過程は連続的に繋がっており、病気にはその前段階が存在するとの考えの下、そのような前段階を「未病」と捉えるものである。現に、この未病の段階において患者に自己回復力を高める処置を行えば、多くの病気を未然に防ぐことが可能である。しかしながら、未病の状態では患者に自覚症状は表出せず、また西洋医学的な検査でも発見することができないことから、未病状態の的確な検出に際しては東洋医学の見極め手法に依存せざるを得ない。
【０００４】
例えば、東洋医学には「舌診」という診断法がある。この「舌診」は、舌及び苔（舌乳頭）の色や形から、体質や体調の偏りを総合的に診断するもので、上記「未病」をも知見可能な診断法である。舌には全身状態の変化が表れやすく、舌は全身を写す鏡と言われている。すなわち、舌の組織は血管が豊富であり、その表面には角質層が無く粘膜で覆われていることから、舌の色は血液や体液の色を如実に反映する。また、人体の上部消化器官の入口に位置しているため、消化器系の状態も反映することになる。更には、自律神経によって制御されている唾液の分泌量によっても、舌の表面状態は変化する。他面、舌は粘膜質で体表に露出していないことから、日焼けや人種による影響を受けず、普遍的な診断が可能であるという特徴もある。
【０００５】
従来、舌診に関連して、例えば特許文献１〜３に開示された方法が知られている。すなわち、特許文献１には、過去の標準的な舌像（標準舌像）を患者の横に投影し、医師が患者の舌像と前記標準舌像とを比較して診断を行う方法が開示されている。また特許文献２には、ネットワークを介して患者の舌診表より漢方薬の処方を提供する方法が開示されている。さらに特許文献３には、基礎舌像情報と患者舌像情報とを比較し、患者舌像情報に近似する基礎舌像情報を検出して診断支援を行う方法が開示されている。
【特許文献１】特許２７６３９８９号公報
【特許文献２】特開２００１−３５７１３１号公報
【特許文献３】特開２００１−３１４３７６号公報
【発明の開示】
【発明が解決しようとする課題】
【０００６】
しかしながら、舌診は医師、薬剤師、鍼灸師などが自身の診療経験に基づいて目視で行うのが一般的であり、定量化された診断手法は未だ確立されていない。このため診断に主観が介入して個人差が生じ易く、診断結果の体系的な記録や伝達が困難であるという問題があった。また舌診は、舌及び苔の色や形など多次元の判定項目より診断するため、それぞれの判定基準や重み付けが複雑で判り辛く、西洋医学の所見との整合性や新人医師の教育などに不都合を生じているのが現状である。つまり、病気を未然に抑止できる「未病」というカテゴリーがあり、舌診等の「未病」検出手法も存在しながら、客観的な舌診方法並びに健康度判定方法が未整備であることから、東洋医学的診断法が備える優れた診療能力を潜在化させてしまっているのである。
【０００７】
上掲の特許文献１〜３に開示された方法は、医師等が舌の画像を見て診断し、過去の標準的な症例と比較するものであるが、比較項目は各々の医師の経験やノウハウの域を出るものではなく、結局診断に個人差が出てしまう。また、健康度判定基準も数値化されておらず、あいまいさを払拭できない。なお、特許文献３には、舌の色や形などの舌像情報を利用することの開示があるが、過去において蓄積された類似症例の舌画像を抽出するための利用であって、診断には直接的に利用されていない。
【０００８】
本発明は以上のような事情に鑑み、東洋医学の診断法を定量化、客観化し、未病を含めた健康度を総合的、かつ簡便に測定することができる健康度判定方法、装置、及びプログラムを提供することを目的とする。
【課題を解決するための手段】
【０００９】
本発明の請求項１にかかる健康度判定方法は、被検体となる生体の所定部位を撮像して取得された画像を複数の領域に分割し、この分割された各画像領域の画像データからそれぞれ得られる所定の特徴量の計測値を統合して照合評価値を作成し、同様な計測方法により予め求められた健常体の計測値を統合して得た基準評価値と、前記照合評価値とを照合することにより、前記被検体の健康度を判定することを特徴とする。
【００１０】
この方法によれば、各画像領域の画像データからそれぞれ得られる所定の特徴量の計測値を統合することで、一つの尺度に統合された照合評価値が作成される。この照合評価値と、同様な計測方法により予め求められた健常体の計測値を統合して得た基準評価値とを照合することで、例えば基準評価値と照合評価値とを用いて多変量解析することで、被検体となる生体の健康度を表す指標を導出することができる。本発明において、被検体となる生体は代表的には人体であるが、犬や猫などのペット類、牛や豚などの家畜類も被検体とすることができる。
【００１１】
上記構成において、撮像される生体の所定部位が、人体の舌部位であることが望ましい（請求項２）。本発明において、撮像される生体の所定部位については特に限定はなく、生体の各種部位を撮像対象とすることができる。しかし、人体の舌部位を撮像対象とすれば、前述の通り東洋医学において既に具現化されている「舌診」の手法を導入して、人体の健康度の判定を行うことが可能となるので好ましい。
【００１２】
また上記構成において、前記特徴量の計測値として、分割された各画像領域の平均輝度値又は／及び平均色度値を用いることができる（請求項３）。この構成によれば、分割された各画像領域から、それぞれ平均輝度値又は／及び平均色度値が特徴量の計測値（多変量解析されるパラメータ群）として抽出される。そして、各画像領域から得られる複数の平均輝度値又は／及び平均色度値を統合することで照合評価値が作成される。
【００１３】
上記請求項１〜３のいずれかに記載の構成において、前記照合評価値と基準評価値との照合は、マハラノビス距離の算出により行われ、前記健康度の判定は、前記算出されたマハラノビス距離が所定の閾値を超過しているか否かに基づいて行われる構成とすることができる（請求項４）。健康な生体集団と疾病を伴う劣性生体集団との区別のような、二群の集団の判別（照合）方法としては、多変量解析による方法が好適である。この多変量解析方法としては、線形関数を用いる方法、マハラノビス距離を用いる方法、回帰分析を用いる方法などが存在する。本発明においては、これらの方法をいずれも適用可能である。しかし、これらの方法の中で、マハラノビス距離を用いる方法によれば、比較する複数のパラメータ（本発明の場合、各画像領域から得られる複数の計測値）を一元化することができるので、比較する閾値を一つ設定することで、健康度の判定を行うことができる。
【００１４】
この場合、マハラノビス距離が所定の閾値を超過している場合において、当該算出されたマハラノビス距離の値に寄与している領域を抽出することで、疾患部を特定する構成とすることが望ましい（請求項５）。例えば前記「舌診」の手法において、舌部の部分的な変色と疾病が存在する臓器とが一定の関連性を有していることが知られている。従って、分割された各画像領域のうち、マハラノビス距離の値に寄与している領域を特定すれば、それは健康な生体集団との相違部位、すなわち疾患部位として特定できることとなる。
【００１５】
本発明の請求項６にかかる健康度判定装置は、被検体となる生体の所定部位を撮像して画像を取得する撮像手段と、前記画像から所定の特徴量を反映する画像データを抽出すると共に前記画像を複数の領域に分割し、この分割された各画像領域から前記画像データに基づく計測値をそれぞれ導出する画像処理部と、同様な計測方法により予め求められた健常体の計測値を統合して得た基準評価値が格納される記憶部と、前記画像処理部で導出された各画像領域の計測値を統合して得られた照合評価値と、前記記憶部に格納されている基準評価値とを照合して、被検体の健康度に関する判定情報を出力する演算部とを具備することを特徴とする。
【００１６】
この装置によれば、演算部により各画像領域の画像データからそれぞれ得られる所定の特徴量の計測値を統合することで、一つの尺度に統合された照合評価値が作成される。さらに、前記照合評価値と、同様な計測方法により予め求められた健常体の計測値に基づく基準評価値とを照合することで、例えば基準評価値と照合評価値とを用いて多変量解析することで、被検体となる生体の健康度に関する判定情報を出力することができるようになる。
【００１７】
上記構成において、前記撮像手段が、フラッシュ光源付きのデジタルカメラであることが望ましい（請求項７）。この構成によれば、分割された各画像領域から、それぞれ平均輝度値又は／及び平均色度値が特徴量の計測値（多変量解析されるパラメータ群）を容易に抽出することができる。
【００１８】
また上記構成において、前記演算部は、前記記憶部から読み出した基準評価値と、前記照合評価値とを用いてマハラノビス距離を算出するマハラノビス距離算出部と、前記算出されたマハラノビス距離が所定の閾値を超過しているか否かを判定する判定処理部とを具備する構成とすることができる（請求項８）。この構成によれば、マハラノビス距離算定部により、比較する複数のパラメータ（本発明の場合、各画像領域から得られる複数の計測値）を一元化することができ、また判定処理部により、予め設定された一つの閾値と比較することで、健康度の判定を行うことができる。
【００１９】
この場合、マハラノビス距離算出部にて算出されたマハラノビス距離に基づいて、疾患部位の特定情報を出力する疾患部位特定部を備え、疾患部位特定部は、前記分割された画像領域の中から、前記マハラノビス距離の値に寄与している領域を抽出する寄与領域抽出部と、前記分割された画像領域と疾患とを関連付けた各種の疾患情報が格納された疾患情報記憶部と、前記寄与領域抽出部による抽出領域情報と、疾患情報記憶部に格納されている疾患情報とを照合することにより、疾患部位に関する特定情報を出力する照合部とを備える構成とすることができる（請求項９）。この構成によれば、マハラノビス距離の値に寄与している領域が寄与領域抽出部で特定され、この特定された抽出領域情報と疾患情報記憶部に格納されている疾患情報とが照合部により照合されることで、健康な生体集団との相違部位、すなわち疾患部位が特定されることとなる。
【００２０】
本発明の請求項１０かかる健康度判定装置の動作プログラムは、所定の画像処理部、記憶部及び演算部を備える健康度判定装置を動作させるためのプログラムであって、所定の撮像手段により撮像された、被検体となる生体の所定部位に関する画像を取得させるステップと、前記画像処理部に、前記画像から所定の特徴量を反映する画像データを抽出すると共に前記画像を複数の領域に分割し、この分割された各画像領域から前記画像データに基づく計測値を導出させるステップと、前記記憶部から、同様な計測方法により予め求められた健常体の計測値を統合して得た基準評価値を読み出すステップと、前記演算部に、前記画像処理部で導出された各画像領域の計測値を統合した照合評価値と、前記記憶部から読み出された基準評価値とを照合して、被検体の健康度に関する判定処理をなわせるステップとを実行させることを特徴とする。
【００２１】
上記構成において、前記演算部に被検体の健康度に関する判定処理を行なわせるステップとして、前記画像処理部で導出された各画像領域の計測値を統合した照合評価値と、前記記憶部から読み出された基準評価値とを用いてマハラノビス距離を算出させるステップと、前記算出されたマハラノビス距離が所定の閾値を超過しているか否かを判定するステップとを実行させる構成とすることができる（請求項１１）。
【発明の効果】
【００２２】
請求項１にかかる健康度判定方法によれば、生体の所定部位を撮像して得られた画像データに基づき、一定の判定基準で生体の健康度を表す指標が導出されるので、例えば東洋医学の「舌診」の診断法を、客観的に実施することが可能となる。すなわち、カメラ付き携帯電話、デジタルカメラ、ＰＣカメラ等の身近な撮像装置を用いて検査対象部位を撮像し、画像データを取得することで、誰でも所定の健康度判定が簡単且つ客観的に行えるようになる。従って、手軽に健康状態を把握することができ、生活習慣病等の早期発見や疾病予防に寄与することができる。特に、多忙さゆえに通院機会を逸しがちなビジネスマン、医療機関が少ない地方の住人、外出の難しい術後患者や高齢者などの健康診断、健康管理に有効である。さらに、自身の病状を的確に表現できない幼児や痴呆性患者、或いはペットや家畜類の健康管理にも供することが可能である。他面、健康食品や運動プログラム、健康生活習慣などによる改善効果を客観的に評価することが可能となり、それら物品やサービスの開発、販売促進に役立てることもできる。
【００２３】
請求項２にかかる健康度判定方法によれば、東洋医学において既に具現化されている「舌診」の手法を導入して、人体の健康度の判定を客観的に行うことが可能であり、誰もが容易に「舌診」を行えるようになる。従って、西洋医学では知見できない「未病」状態を客観的に見極めることも可能となる。
【００２４】
請求項３にかかる健康度判定方法によれば、平均輝度値又は／及び平均色度値は、デジタルカメラ等で撮像された画像データから比較的容易に求めることができるので、既存の撮像装置を用いて本発明にかかる健康度判定方法を実施することができる。
【００２５】
請求項４にかかる健康度判定方法によれば、マハラノビス距離を用いて健康度判定を行うので、分割された各画像領域から得られる複数の計測値を一元化することができ、比較する閾値を一つ設定することで、健康度の判定を行うことができる。
【００２６】
請求項５にかかる健康度判定方法によれば、健康度の判定だけでなく、疾患部位の特定まで行うことができるので、より一層被検者に有用な情報を提供できるようになる。
【００２７】
請求項６にかかる健康度判定装置によれば、生体の所定部位を撮像して得られた画像データに基づき、演算部により一定の判定基準で生体の健康度を表す指標が導出されるので、例えば東洋医学の「舌診」の診断法を、客観的に実施することが可能となる。すなわち、身近な撮像装置を用いて検査対象部位を撮像し、画像データを取得することで、誰でも所定の健康度判定が簡単且つ客観的に行えるようになる。
【００２８】
請求項７にかかる健康度判定装置によれば、分割された各画像領域の平均輝度値又は／及び平均色度値等を特徴量として抽出する場合に、フラッシュ光の所定部位への照射により、対象部位の色や明るさを明瞭化した上で画像データを取得できる。従って、平均輝度値又は／及び平均色度値等を正確に測定でき、これにより一層正確に健康度判定が行えるようになる。
【００２９】
請求項８にかかる健康度判定装置によれば、マハラノビス距離算出部で算出されるマハラノビス距離を用いて健康度判定を行うので、分割された各画像領域から得られる複数の計測値を一元化することができ、これにより判定処理部で比較する閾値が一つで済むので、処理を簡素化することができる。
【００３０】
請求項９にかかる健康度判定装置によれば、健康度の判定だけでなく、疾患部位の特定まで行うことができるので、より一層被検者に有用な情報を提供できる健康度判定装置が実現されるようになる。
【００３１】
請求項１０かかる健康度判定装置の動作プログラムによれば、生体の所定部位を撮像して得られた画像データに基づき、演算部により一定の判定基準で生体の健康度を表す指標が導出されるので、例えば東洋医学の「舌診」の診断法を、客観的に実施することが可能となる。すなわち、身近な撮像装置を用いて検査対象部位を撮像し、画像データを取得することで、誰でも所定の健康度判定が簡単且つ客観的に行えるようになる。
【００３２】
請求項１１かかる健康度判定装置の動作プログラムによれば、マハラノビス距離を用いて健康度判定を行うので、分割された各画像領域から得られる複数の計測値を一元化することができ、これにより健康度判定処理の際に比較する閾値が一つで済むので、処理を簡素化することができる。
【発明を実施するための最良の形態】
【００３３】
以下図面に基づいて、本発明の実施形態につき説明する。
図１は、本発明にかかる健康度判定装置１（本発明にかかる健康度判定方法を実現するシステム）の一実施形態を示す外観構成図である。この健康度判定装置１は、被検体となる人体（被検者）の舌部Ｔ（生体の所定部位）を撮影する撮像手段としてのデジタルカメラ２と、該デジタルカメラ２にて取得された画像データに基づいて、所定の健康度判定に関する処理を実行する処理装置３とから構成されている。
【００３４】
デジタルカメラ２は、撮像レンズ、ＣＣＤ等の撮像素子、画像処理部及び画像メモリなどを具備するカメラ本体部２１と、撮影対象となる舌部Ｔを所定の色温度の照明光で照射するフラッシュ装置２２とから構成されている。
【００３５】
図２は、デジタルカメラ２（フラッシュ装置２２）の詳細構造を示す斜視図である。フラッシュ装置２２は、近接撮影に適したフラッシュ装置であって、左右対称に配置された二個のフラッシュ光源２２１ａ、２２１ｂが備えられた二灯式のものである。これらフラッシュ光源２２１ａ、２２１ｂは、カメラ本体部２１の撮影レンズに嵌着されるリング状の固定部２２２から延出されたアーム２２３ａ、２２３ｂの先端部分に取り付けられている。このような近接撮影用フラッシュ装置２２で撮影時に舌部Ｔを照明することで、舌の表面に適度な影ができ、舌表面のざらつき感や歯痕の凹凸が識別しやすくなる。
【００３６】
前記アーム２２３ａ、２２３ｂに対してフラッシュ光源２２１ａ、２２１ｂは、角度調整部２２４ａ、２２４ｂを介して取り付けられており、フラッシュ光源２２１ａ、２２１ｂによる照明光の照射角度が調整可能とされている。実際に舌部Ｔの撮像を行う場合は、被検者の眼にフラッシュ光が入射しないよう、角度調整部２２４ａ、２２４ｂにより適宜フラッシュ光源２２１ａ、２２１ｂの角度設定がなされる。なお、フラッシュ光源２２１ａ、２２１ｂの発光量は、フラッシュコントローラ２３によって調整され、前記フラッシュコントローラ２３とフラッシュ光源２２１ａ、２２１ｂとはカールコード２２５ａ、２２５ｂにて電気的に接続されている。
【００３７】
処理装置３は、例えばパーソナルコンピュータ等を好適に用いることができ、図１に示す例では、ハードディスク装置等を備えた処理本体部３１、操作部としてのキーボード３２及びマウス３３、ＣＲＴやＬＣＤ等からなる表示部３４を備える構成を例示している。この処理装置３と前記デジタルカメラ２とは、ＵＳＢケーブル等の通信ケーブルＣで接続されることで相互に通信可能とされている。
【００３８】
図３は、健康度判定装置１の電気的構成を概略的に示すブロック図である。デジタルカメラ２は、前述のフラッシュ装置２２（フラッシュ光源２２１ａ、２２１ｂ）及びフラッシュコントローラ２３の他、撮影レンズ２４、ＣＣＤ等の撮像素子２５、カメラ制御処理部２６、メモリ部２７及び通信用Ｉ／Ｆ２８を備えて構成されている。
【００３９】
撮影レンズ２４は所定数のレンズ群を備え、図示省略のレンズ駆動部によるフォーカスやズーム動作を経て被写体像（舌部Ｔ）を撮像素子２５へ結像させる。撮像素子２５は、例えばＲＧＢフィルタがベイヤー配列されてなるＣＣＤが用いられる。すなわち撮像素子２５は、異なる３つの波長帯域（ＲＧＢ）の光をそれぞれ透過させるフィルタを介して入射される舌部Ｔの光像を電気信号に変換（光電変換）することで、舌部Ｔの画像についてのＲＧＢのアナログ画像データを取得する。
【００４０】
カメラ制御処理部２６は、カメラ各部の動作制御を行うと共に撮像素子２５にて取得された画像データに対して画像処理を施す機能を備える。すなわちカメラ制御処理部２６は、各部の動作制御機能として、前記撮影レンズ２４をフォーカス駆動又はズーム駆動する駆動制御信号を生成したり、撮像素子２５の電荷読み出し制御信号を生成したりする。さらに、被写体である舌部Ｔが均一な照度で照明されるよう、デジタルカメラ２に備えられている図略の距離センサの情報に基づいて舌部Ｔまでの距離を算出し、フラッシュ光源２２１ａ、２２１ｂの発光量に関する制御情報信号をフラッシュコントローラ２３に与える機能も備える。これにより、舌部Ｔ表面の照度を一定とすることができ、舌部Ｔの色や明るさ等を正確に撮像（測定）することができるようになる。
【００４１】
またカメラ制御処理部２６は、画像処理機能として、撮像素子２５にて取得されたＲＧＢのアナログ画像データをＡ／Ｄ変換して得られたデジタル画像データに、黒基準補正、ＦＰＮ補正、ホワイトバランス調整、色補間及びノイズキャンセルなどの処理を行う。このような画像処理が与えられたＲＧＢ画像データは、メモリ部２７（又は外部記録媒体）や、後述の処理装置３が備えるＲＡＭ３６１等に保存される。
【００４２】
メモリ部２７は、ＲＡＭやＲＯＭ等からなり、前述の通り画像データを一時的に格納すると共に、各種動作プログラムを記憶する。また通信用Ｉ／Ｆ２８は、処理装置３との間の信号伝送動作を実行可能とするインターフェイス部である。
【００４３】
処理装置３は、操作部としてのキーボード３２及びマウス３３、表示部３４の他、制御処理部３５、記憶部３６、通信用Ｉ／Ｆ３７、及びプリンタ３８２を備えて構成されている。制御処理部３５は、デジタルカメラ２により取得された画像データに対し、領域抽出や画像分割などの必要な画像処理を施すと共に、健康度判定のための所定の演算処理等を行う。記憶部３６は、画像データ等を一時的に格納したり、健康度判定に必要な所定のデータを記憶したりする。通信用Ｉ／Ｆ３７は、デジタルカメラ２との間の信号伝送動作を実行可能とするインターフェイス部である。プリンタ３８２は、健康度判定結果等をペーパー出力するための印刷部である。
【００４４】
図４は、処理装置３の制御処理部３５及び記憶部３６の機能を詳細に示す機能ブロック図である。制御処理部３５は、大別して画像処理部３５１、健康度判定演算部３５６（演算部）及び疾患部位特定処理部３９を備えている。
【００４５】
画像処理部３５１は、デジタルカメラ２により取得された舌部Ｔの画像データに対し、領域抽出や画像分割、さらには特徴量抽出などの必要な画像処理を施す機能部である。ここで、撮影対象とされる舌部Ｔの組織について簡単に説明しておく。図５は、人体の舌背面（舌表面）の組織を模式的に示す模式図である。舌は全体が粘膜で覆われており、その表面には「舌乳頭」と呼ばれる多数の突起が存在している。
【００４６】
人体の場合、図５に示すように、糸状乳頭、茸状乳頭、葉状乳頭及び有郭乳頭の４種類の舌乳頭が存在する。糸状乳頭は、舌表面の前面に密生する最も数の多い舌乳頭であり、これに剥離細胞や粘膜、細菌などが付着して舌苔を形成する。茸状乳頭は、乳頭先端が茸状に膨大した形状を呈し、前記糸状乳頭間に散在すると共に、舌の先端（舌尖）にかけて数と大きさが共に増大する。また葉状乳頭は左右の舌辺縁の上部（根本部）に、有郭乳頭は舌根部にそれぞれ存在している。舌の内部には毛細血管が多数存在するため、通常は赤みを呈し、これが舌の色となる。なお、舌の中央から先端にかけて存在する糸状乳頭及び茸状乳頭は、三叉神経由来の舌神経と顔面神経由来の鼓索神経の支配を受ける。一方、舌の根本部分に存在する葉状乳頭及び有郭乳頭は、舌咽神経の支配を受ける。
【００４７】
上記画像処理部３５１は、領域抽出部３５２、色座標変換部３５３、画像分割部３５４及び特徴量計測部３５５を備えている。領域抽出部３５２は、デジタルカメラ２により取得された舌部Ｔを含む撮影画像（画像データ）から、舌部Ｔに対応する部分の画像（画像データ）を抽出する。すなわち、デジタルカメラ２により舌部Ｔのみを撮影することは困難であるので、図６（ａ）に示すように、デジタルカメラ２で顔面Ｆの下半分を撮影して顔面撮影画像４１を取得し、その撮影画像４１から、図６（ｂ）に示すように、舌部Ｔのみを抽出した舌部抽出画像４２を生成する。
【００４８】
領域抽出部３５２は、具体的には顔面撮影画像４１の輝度エッジ（画像の中で急激に明るさが変化している部分）に基づいて、舌部Ｔの輪郭を割り出すことで、舌部Ｔに相当する画像を抽出する。このような輝度エッジ抽出には、例えば図７に示すようなエッジ抽出フィルタを用いることができる。このエッジ抽出フィルタは、画像から輪郭を抽出する場合に用いられるフィルタであって、１次微分をする時に注目画素の近傍の画素に重み付けをするフィルタである。図７では、３×３画素群においてその中央を注目画素とするとき、注目画素の４つの近傍画素（上下左右の画素）の重みをそれぞれ−１としたフィルタの例を示している。
【００４９】
このようなエッジ抽出フィルタを用い、例えば各画素のグリーン（Ｇ）のデータより４近傍の差分を取り、その差分値が所定の閾値αを超える画素を抽出することで、舌部Ｔの輪郭を形成する輝度エッジが抽出される。すなわち、舌部Ｔの周囲には、口腔、歯及び舌の影などの起因する輝度差が存在することから、かかる輝度差に基づいて、舌部Ｔの輪郭を検出するものである。従って、前記閾値αは、舌部Ｔの周囲の輝度差を検出可能な値に設定される。領域抽出部３５２は、以上のようなエッジ抽出処理を施すことで、顔面撮影画像４１から舌部Ｔの領域が抽出された舌部抽出画像４２を生成する。
【００５０】
色座標変換部３５３は、デジタルカメラ２で取得された舌部Ｔの固有的な画像データ（舌部抽出画像４２）を、標準的な画像データに変換する処理を行う。デジタルカメラ２により取得された画像は、光源の性質（フラッシュ光源２２１ａ、２２１ｂの光の性質）や撮像素子２５の分光感度が反映された固有のＲＧＢデータにて構成されている。そこで色座標変換部３５３は、このような固有のＲＧＢデータを、所定の回帰式を用いて例えば国際照明委員会で規格化されているＸＹＺ（Ｙｘｙ）色度座標に変換する処理を行う。
【００５１】
具体的には、色座標変換部３５３は、予め求められた所定の変換行列式に、実際に撮影された舌部ＴのＲＧＢデータを代入して乗ずることで、ＸＹＺ色度値を算出する処理を行う。前記変換行列式は、例えば次の手順で予め求められる。すなわち、前記ＸＹＺ色度値が既知である複数の色票（カラーチャート）を用い、フラッシュ光源２２１ａ、２２１ｂを発光させてデジタルカメラ２により前記色票を撮影し、この撮影画像のＲＧＢデータを記録する。そして、撮影画像のＲＧＢデータと色票との関係から、次の（１）式における３×３行列（変換行列）の要素ａ１１〜ａ３３を求める。
【００５２】
【数１】
2006149679.tif 000003
【００５３】
ここでは、色票のＸＹＺ色度値とデジタルカメラ２のＲＧＢデータとの組み合わせが数多く得られるので、ＸＹＺ色度値を目的変量とし、ＲＧＢデータを説明変量として、ＲＧＢデータから色票のＸＹＺ色度値への変換行列が回帰分析により求められる。かかる変換行列は、例えばＲＯＭ３６２等に格納され、実際の撮影時において色座標変換部３５３により読み出され、上記（１）式の右辺に舌部Ｔの画像についてのＲＧＢデータが代入され、乗算が行われることでＸＹＺ色度値が求められる。これにより、デジタルカメラ２の固有の特性を排除した、客観的な色データが生成される（舌及び苔の色測定が行われる）ようになる。次の（２）式に、実際の変換行列の一例を示す。
【００５４】
【数２】
2006149679.tif 000004
【００５５】
なお、舌部Ｔの画像についてのＲＧＢデータを、上記（２）式の２次の項（Ｒ＊Ｂ、Ｒ＊Ｇ、Ｇ＊Ｂ）まで求めるようにすると、推定の精度を向上させることができるので好ましい。また、検査対象部位が舌部Ｔに限定されている場合は、上記変換行列を求めるにあたり、前記色票に代えて実際の舌を撮影するようにしても良い。
【００５６】
画像分割部３５４は、前記領域抽出部３５２にて抽出された舌部Ｔの領域を、所定の複数領域に分割する処理を行う。この分割手法については特に限定はなく、舌部Ｔの画像を複数の領域に分割するものであれば良い。例えば図８（ａ）に示すように、舌部Ｔの領域に内接する正方形領域４３の画像を切り出し、これを図８（ｂ）に示すように、縦８×横８のブロックに区画し、矩形状の（１）〜（６４）からなる６４個の分割画像領域４３１に分割することができる。なお、前記画像の切り出しを行わず、舌部Ｔの全領域を対象として分割画像を生成するようにしても良い。
【００５７】
特徴量計測部３５５は、前記画像分割部３５４により分割された各画像領域４３１から、それぞれの領域における画像データ（ここではＸＹＺ色度値又はＲＧＢデータ）を読み出し、６４個の分割画像領域４３１毎に特徴量の計測値を導出する。この特徴量は、例えば個々の分割画像領域４３１内におけるＲＧＢデータの平均値（平均輝度値）、或いはＸＹＺ色度値の平均値（平均色度値）とすることができる。また、ＲＧＢデータ或いはＸＹＺ色度値の度数分布を求め、そのピークポイント、最大値、最小値、分散度などのデータ分布の特徴を示す値であっても良い。上記の場合、特徴量計測部３５５は、前記平均値を求める演算、若しくは前記分布度数に基づくピークポイント、最大値、最小値、分散度を求める演算を行うこととなる。
【００５８】
上記特徴量は、分割画像領域４３１内におけるエッジ量等の周波数成分を表す特徴量であっても良い。この場合、前述の図７に示したようなエッジ抽出フィルタを用い、各分割画像領域４３１内を走査して、演算結果の総和（エッジ量の存在度合い）を求める演算が特徴量計測部３５５において行われる。以上のようにして、分割画像領域４３１毎に所定の特徴量に関する６４個の計測値が求められ、かかる計測値は、後述のマハラノビス距離算出部３５７におけるマハラノビス距離の算出において、入力情報として活用されるものである。
【００５９】
次に、健康度判定演算部３５６は、前記分割画像領域４３１からそれぞれ得られる所定の特徴量の計測値を統合して照合評価値を作成し、同様な計測方法により予め求められた健常体の計測値を統合して得た基準評価値と、前記照合評価値とを照合することにより、被検者の健康度を判定する機能部である。この実施形態では、健康度判定演算部３５６は、マハラノビス距離算出部３５７と、判定処理部３５８とを備える構成を例示している。
【００６０】
マハラノビス距離算出部３５７は、マハラノビス距離を用いて、前記画像処理部３５１（特徴量計測部３５５）にて求められた特徴量を多変量解析する。すなわち、被検者の舌部Ｔに関する特徴量を統合した照合評価値（前記計測値のデータ群）が、同様な計測手法により予め求められた健常者の計測値を統合した基準評価値に比べてどの程度乖離しているかの判別分析のために、マハラノビス距離を算出する。つまり、前記照合評価値と前記基準評価値とを照合する手法として、マハラノビス距離の算出という手段を採る。このことは、健康な人々を母集団として、被検者の健康度を、前記母集団が作る空間の原点からのマハラノビス距離により判定することを意味する。なお、当該マハラノビス距離を用いる方法によれば、特徴量の計測値の統合して照合評価値を作成するステップと、該照合評価値と基準評価値とを照合するステップとが同時に行われることとなる。
【００６１】
ここでマハラノビス距離とは、多くの計測項目（この場合、分割画像領域４３１毎の６４個の計測項目）ごとのばらつきや相関関係を考慮して計算される距離の尺度である。いま、母集団の個数をｎ、計測項目毎のデータの平均値（基準評価値；同様な手法で求められた健常者の計測値）をｍ、標準偏差をσ、計測項目相互の相関を表す相関行列に対する逆行列の要素をａｉｊとし、計測項目をｋ（この場合、ｋ＝６４）とすると、ｍ１、ｍ２、・・・ｍｋの平均値ベクトルが、健常者母集団の作る空間の原点となる。ここで標準偏差のベクトルをσ１、σ２、・・・σｋ、被検者の計測値（照合評価値；前記特徴量計測部３５５にて求められる分割画像領域４３１毎の計測値）をｘ１、ｘ２、・・・ｘｋとすると、マハラノビス距離Ｄは、次の（３）式により求められる。
【００６２】
【数３】
2006149679.tif 000005
【００６３】
上記（３）式において、母集団空間の全対象であるｎ個のマハラノビス距離の平均は「１」となる。これにより、健康度を示す尺度の原点と距離の単位が定まることになる。このマハラノビス距離が小さいほど被検者は母集団に近く、すなわち健康であると予測され、一方マハラノビス距離が大きいほど母集団から遠く、すなわち疾病若しくは疾病の前兆（未病）など健康上何らかの問題があると予測される。
【００６４】
判定処理部３５８は、前記マハラノビス距離算出部３５７にて算出されたマハラノビス距離が所定の閾値を超過しているか否かを判定することで、健康度に関する所定の判定情報を出力する。前記閾値は、健康度判定の目的等に応じて適宜設定することができるが、本発明者の実験によれば、前記分割画像領域４３１から抽出する特徴量を平均輝度値とした場合、やや体調が悪い被検者でマハラノビス距離＝５、通院を要する被検者でマハラノビス距離＝１０との結果が得られており、かかる値を目安に前記閾値を設定すれば良い。
【００６５】
以上の通り構成された画像処理部３５１と健康度判定演算部３５６とを備える制御処理部３５とすれば、所定の健康度判定を行うことができるが、本実施形態では単に健康度の判定を行うだけでなく、疾患部位の特定まで行うべく、制御処理部３５に疾患部位特定処理部３９が備えられている。
【００６６】
東洋医学には「経絡」の考え方がある。曰く、経絡とは「気」のエネルギーが流れる道筋であり、それが体表に表れる箇所が所謂「ツボ」と呼ばれる部位である。舌の表面にもツボが存在しており、図９に示すように舌先端の舌尖部５１には心臓と肺臓、舌中央の舌中部５２には脾臓と胃、舌の両側の舌辺部５３，５３には肝臓と胆嚢、舌の根本の舌根部５４には腎臓のツボが存在している。そして何らかの疾患で舌に局部的な異常が表れている場合、その異常箇所と経絡で繋がっている臓器に異常があるものと考えられている。なお西洋医学的には、前記「経絡」は神経の繋がりと解釈されている。前述の通り、舌部Ｔの表面に存在する各乳頭（図５参照）は、それぞれ異なる神経によって支配されているため、神経系統の異常により、各乳頭に異常が惹起されるものと考えられている。
【００６７】
前記疾患部位特定処理部３９は、このような医学的根拠に鑑み、臓器異常が存在するときに上記舌尖部５１、舌中部５２、舌辺部５３及び舌根部５４などに局部的に表れる舌の色変化等を検出することで、被検者の疾患部位（疾患の有る臓器、疾患の予兆がある臓器）を特定（予測）するものである。具体的には疾患部位特定処理部３９は、前記マハラノビス距離算出部３５７にて算出されたマハラノビス距離に基づいて、疾患部位の特定情報を出力する機能部であり、該疾患部位特定部３９は、寄与領域抽出部３９１と、照合部３９２とを備えて構成されている。
【００６８】
寄与領域抽出部３９１は、前記の分割された画像領域（本実施形態では６４個の領域）の中から、前記マハラノビス距離の値に寄与している領域を抽出する。すなわち、マハラノビス距離が所定の閾値以上であると前記判定処理部３５８にて判定され、被検者に何らかの疾患があると予測される場合に、その算出されたマハラノビス距離の値に寄与している領域（つまり、健常者に比較して舌色や光沢、形が大きく相違している部位）を特定できれば、どの臓器に疾患があるかを予測することができる。このため寄与領域抽出部３９１は、上記（３）式において、ｉ＝ｊと置いたときの下記（４）式の値を比較し、これが所定の値以上である領域を抽出する。
【００６９】
【数４】
2006149679.tif 000006
【００７０】
照合部３９２は、前記寄与領域抽出部３９１による抽出領域情報と、後述する疾患情報記憶部３６４に格納されている疾患情報とを照合することにより、疾患部位に関する特定情報を出力する。すなわち、マハラノビス距離の値に寄与している領域の舌部Ｔ上の位置情報と、疾患と舌への異常表出部位との関係を関連付けた情報である疾患情報を照合することで、どの臓器に疾患が存在している可能性が高いかについての判定情報を出力するものである。
【００７１】
記憶部３６は、ＲＡＭ３６１、ＲＯＭ３６２、基準評価値記憶部３６３及び疾患情報記憶部３６４を備えている。ＲＡＭ３６１は、各種データを一時的に格納するもので、例えば画像処理部３５１の特徴量計測部３５５で計測された計測値や、デジタルカメラ２から送られてきた画像データ等を一時的に格納する。ＲＯＭ３６２は、各種動作プログラム等を記憶するもので、当該健康度判定装置１を動作させる動作プログラム等が格納される。
【００７２】
基準評価値記憶部３６３には、上述の画像処理部３５１において実行されるのと同様な計測方法により予め求められた健常体の計測値を統合して得た基準評価値が格納される。この基準評価値は、前記マハラノビス距離算出部３５７において上記（３）式に基づいてマハラノビス距離の算出が行われる際に読み出される。
【００７３】
疾患情報記憶部３６４には、分割された画像領域と疾患とを関連付けた各種の疾患情報が格納される。すなわち、例えば図９に示すような舌部Ｔの局所的な部位と疾患との関係、つまり疾患と舌への異常表出部位との関係を関連付けた情報である疾患情報が格納される。該疾患情報は、前記照合部３９２において疾患部位に関する特定情報を求める際に読み出される。
【００７４】
出力処理部３８１は、健康度判定演算部３５６の判定処理部３５８から出力される所定の健康度判定情報、或いは疾患部位特定処理部３９の照合部３９２から出力される所定の疾患部位特定情報を、操作部３２，３３からの指示に応じて、表示部３４或いはプリンタ３８２において所定のフォーマットで表示或いはプリントさせるためのデータ変換を行うものである。
【００７５】
以上の通り構成された健康度判定装置１の動作について説明する。図１０は、健康度判定装置１の動作フローを示すフローチャートである。先ず、デジタルカメラ２により被検者の舌部Ｔを含む領域を撮像して画像データを取得する（ステップＳ１）。例えば、図６（ａ）に示すような顔面撮影画像４１に関する画像データが取得される。この画像データは、Ｉ／Ｆ２８、３７を介して処理装置３の画像処理部３５１へ送られる。なお、予めデジタルカメラやデジタルビデオカメラ等で撮像された舌部Ｔを含む領域の画像を蓄積するサーバや記録メディア等から、所望の画像データを直接又はインターネット等を介して取得するようにしても良い。
【００７６】
次に、画像処理部３５１の領域抽出部３５２により、舌部Ｔの領域のみを抽出する処理が行われる（ステップＳ２）。例えば、前記顔面撮影画像４１から、図６（ｂ）に示すような、舌部抽出画像４２が生成される。そして、色座標変換部３５３により、デジタルカメラ２により取得された固有のＲＧＢデータを、例えば国際照明委員会で規格化されているＸＹＺ色度座標に変換する処理がなされる（ステップＳ３）。
【００７７】
その後、画像分割部３５４により、前記舌部抽出画像４２を複数の領域に分割する処理が為される（ステップＳ４）。例えば図８に示すように、舌部Ｔの領域に内接する正方形領域４３の画像を切り出し、これを縦８×横８のブロックに区画し、矩形状の（１）〜（６４）からなる６４個の分割画像領域４３１に分割される。続いて、これら分割画像領域４３１のそれぞれから、特徴量計測部３５５により、例えば平均輝度値等の所定の特徴量が計測される（ステップＳ５）。
【００７８】
次いで、健康度判定演算部３５６のマハラノビス距離算出部３５７により、上記ステップＳ５で求められた分割画像領域毎の計測値（照合評価値）と、基準評価値記憶部３６３に格納されている健常者の同様な計測値（基準評価値）とを用いて、マハラノビス距離が算出される（ステップＳ６）。そして判定処理部３５８により、算出されたマハラノビス距離が、所定の閾値を超過しているか否かに基づいて、健康度に関する判定情報が生成される（ステップＳ７）。ここで、前記ステップＳ７で「健康」と判定された場合若しくは疾患部位の特定（予測）を行わない場合（ステップＳ８でＮｏ）、前記ステップＳ７で求められた健康度判定情報が出力処理部３８１を介して表示部３４又はプリンタ３８２等へ出力される（ステップＳ１１）。この場合、インターネット等を介して、ユーザの端末機や携帯電話等に判定情報を配信するようにしても良い。
【００７９】
疾患部位の特定（予測）を行う場合（ステップＳ８でＹｅｓ）、疾患部位特定処理部３９の寄与領域抽出部３９１により、前記ステップＳ６で求められたマハラノビス距離の値に大きく寄与している領域（前記ステップＳ４で分割された領域のうちの、健常者との際が大きい１又は複数の分割画像領域４３１）が抽出される（ステップＳ９）。そして、照合部３９２により、前記ステップＳ９で抽出された分割画像領域４３１と、疾患情報記憶部３６４に格納されている疾患と舌への異常表出部位との関係を関連付けた情報である疾患情報とを照合することにより、どの臓器に疾患が有るかについての判定情報が生成される（ステップＳ１０）。しかる後、前記ステップＳ７で求められた健康度判定情報と、前記ステップＳ１０で求められた疾患部位特定情報とが、出力処理部３８１を介して表示部３４又はプリンタ３８２等へ出力される（ステップＳ１１）。以上により、処理が完了する。
【００８０】
以上、本発明の一実施形態について説明したが、これに限定されるものではなく、例えば下記（１）〜（８）の変形実施形態を採ることができる。
（１）健康な生体集団と疾病を伴う劣性生体集団との区別のような、二群の集団の判別（照合）方法としては、多変量解析による方法が好適である。この多変量解析方法として、上記実施形態ではマハラノビス距離を用いる方法について例示したが、この他、線形関数を用いる方法、回帰分析を用いる方法などを用いるようにしても良い。
【００８１】
（２）上記実施形態では、画像データから抽出される特徴量、すなわち分割画像領域４３１から求められる平均輝度値や平均色度値等の特徴量のみを用いるようにしたが、これに加えて、画像データ以外の各種特徴量を加えて、健康度判定を行うようにしても良い。例えば問診票や血液検査結果などの検査項目を加えて、マハラノビス距離を算出するようにしても良い。
【００８２】
（３）撮像手段の撮像部（デジタルカメラ２の撮像素子２５）において、ＲＧＢの３バンドだけでなく、ＣＭＹも含めた４〜６バンドの多バンド数で撮影して画像データを取得するようにしても良い。上述の通り、色座標変換部３５３では、所定の回帰式を用いてＸＹＺ色度値を推定しているが、バンド数を増やすことで説明変量が増加し、これにより推定精度が向上するようになる。
【００８３】
（４）上記実施形態では、フラッシュ装置２２から照射される照明光の下で舌部Ｔを含む画像を撮影する例について説明したが、照明光として、赤外光や紫外光などの可視光以外の光線を被検者の所定部位に照射した状態で撮影された画像を用いるようにしても良い。これにより、例えば血液中のヘモグロビンは酸素濃度に応じて近赤外光の吸収率に変化が生じることから、血中酸素濃度に基づいた各種の健康度判定が行えるようになる。
【００８４】
（５）複数の分割画像領域４３１をいくつかのグループに分け、各々のグループから目的の異なる計測値を取得するようにしても良い。例えば東洋医学の診断では、舌の中心部分（図８の舌中部５２）に存在する糸状乳頭の色により苔の色を抽出し、また舌の辺縁（図８の舌辺部５３）上部にある茸状乳頭の色により舌の色を抽出して、舌診を行っている。従って、分割画像領域４３１を舌中部５２付近の領域グループと、舌辺部５３付近の領域グループとに区割りし、これらグループの中から、色度の大きい領域をそれぞれ選択するようにすれば、前記東洋医学の診断手法に基づいた、苔色及び舌色の診断を行えるようになる。
【００８５】
（６）診断対象となる疾病の種別に応じて、計測項目を変えるようにしても良い。すなわち、ある疾病をターゲットとして健康度判定を行う場合は平均色度値を照合評価値とし、別の疾病をターゲットとする場合は、輝度ピーク値やエッジ度数を照合評価値とするというように、疾病により関連深いパラメータを適宜選択して計測項目を定めることが望ましい。また、疾患の表れやすい領域の選択（舌部Ｔの局部を対象領域とする、或いは舌部以外の領域を対象領域とする等）、その疾患に関して健康度の優れた母集団を採用する等により、測定精度、ひいては健康度判定精度を向上させることができる。
【００８６】
（７）図１１に示すように、上記領域抽出部３５２及び画像分割部３５４において、舌部Ｔの領域に外接する正方形領域４４の画像を切り出し、該画像を複数の領域に分割するようにしても良い。この場合、舌部Ｔの周辺に唇、歯、皮膚、髭などが含まれた状態の画像を分割し、所定の特徴量が計測されることとなるが、マハラノビス距離を算出する過程で、母集団のばらつきが大きくなり、結果的に健康度の判定にはさほど影響を与えない。なお、健康度判定の精度向上を目指す場合は、前記正方形領域４４のうち、舌部Ｔの任意の領域を例えば正方形などの領域に再配置した上で、画像分割部３５４で画像分割を行うようにすれば、舌以外の画像部分の影響を排除できるようになる。
【００８７】
（８）上述の健康度判定装置１としてではなく、該健康度判定装置１が行う判定方法を実行する動作プログラムとして提供することもできる。このようなプログラムは、コンピュータに付属するフレキシブルディスク、ＣＤ−ＲＯＭ、ＲＯＭ、ＲＡＭおよびメモリカードなどのコンピュータ読取り可能な記録媒体にて記録させて、プログラム製品として提供することもできる。若しくは、処理装置３のハードディスクなどの記録媒体にて記録させて、プログラムを提供することもできる。また、ネットワークを介したダウンロードによって、プログラムを提供することもできる。
【図面の簡単な説明】
【００８８】
【図１】本発明にかかる健康度判定装置（本発明にかかる健康度判定方法を実現するシステム）の一実施形態を示す外観構成図である。
【図２】上記健康度判定装置で用いられるデジタルカメラの詳細構造を示す斜視図である。
【図３】健康度判定装置の電気的構成を概略的に示すブロック図である。
【図４】処理装置の制御処理部及び記憶部の機能を詳細に示す機能ブロック図である。
【図５】人体の舌背面（舌表面）の組織を模式的に示す模式図である。
【図６】顔面撮影画像と、舌部のみを抽出した舌部抽出画像の一例を示す平面図である。
【図７】領域抽出部で用いられるエッジ抽出フィルタの一例を示す説明図である。
【図８】画像分割部による、舌部の領域を所定の複数領域に分割する処理を説明するための説明図である。
【図９】舌部のツボの位置を説明するための平面図である。
【図１０】本発明にかかる健康度判定装置の動作フローの一例を示すフローチャートである。
【図１１】舌部抽出画像の他の例を示す平面図である。
【符号の説明】
【００８９】
１      健康度判定装置
２      デジタルカメラ（撮像手段）
２２    フラッシュ装置
２２１ａ、２２１ｂ  フラッシュ光源
２５    撮像素子
３      処理装置
３５    制御処理部
３５１  画像処理部
３５２  領域抽出部
３５３  色座標変換部
３５４  画像分割部
３５５  特徴量計測部
３５６  健康度判定演算部（演算部）
３５７  マハラノビス距離算出部
３５８  判定処理部
３６    記憶部
３６３  基準評価値記憶部
３６４  疾患情報記憶部
３９    疾患部位特定処理部
３９１  寄与領域抽出部
３９２  照合部
Ｔ      舌部
【図１】
2006149679.tif 000007
【図２】
2006149679.tif 000008
【図３】
2006149679.tif 000009
【図４】
2006149679.tif 000010
【図５】
2006149679.tif 000011
【図６】
2006149679.tif 000012
【図７】
2006149679.tif 000013
【図８】
2006149679.tif 000014
【図９】
2006149679.tif 000015
【図１０】
2006149679.tif 000016
【図１１】
2006149679.tif 000017